(57)【要約】【課題】従来からルアーを用いた釣りが盛んに行われている。ルアーには小魚に似せた形のものが多く、その中でルアー本体の取り付け部にスプリットリングを介して釣り針を備えているものがほとんどである。この場合魚が釣り針に掛かると、魚は釣り針から逃れようと激しく頭を振るため、ルアー本体が激しく動揺し、魚体とぶつかり合うことで、ルアーの重さとその動揺により釣り針が魚の口から外れてしまうことがよくあることがわかった。【解決手段】ルアー本体に取り付けられた釣り針に魚が針掛かりしたとき、釣り針がルアー本体から離れ遊動自在になることで、ルアー本体と魚体とがぶつかり合うことを軽減し、魚の口からルアーが外れることを防ぐ仕組みをもつルア−を提供する。【選択図】図１
2012125182.tif 000002
【特許請求の範囲】
【請求項１】
ルアー本体に取り付けられた釣り針に魚が掛かったとき、釣り針がルアー本体から離れ、遊動自在になるために必要な釣り針連結具をルアー本体と釣り針との間に設けたことを特徴とする釣り用ルアー。
【請求項２】
ルアー本体に釣り針連結具の取り付け部を持ち、その取り付け部に釣り針連結具の一方を取り付け、釣り針連結具の他方に釣り針を取り付けたことを特徴とする請求項１に記載の釣り用ルアー。
【発明の詳細な説明】
【技術分野】
【０００１】
本発明は、魚釣りに用いるルアーに関する。
【背景技術】
【０００２】
従来からルアーを用いた釣りが盛んに行われている。
ルアーには小魚に似せた形のものが多く、その中でルアー本体の取り付け部にスプリットリング等を介して釣り針を備えているものがほとんどである。この場合魚が釣り針に掛かると、魚は釣り針から逃れようと激しく頭を振るため、ルアー本体が激しく動揺し、魚体とぶつかり合い、ルアー本体の重さとその振動により釣り針が魚の口から外れてしまうことがよくあることがわかった。
【先行技術文献】
【特許文献】
【０００３】
【特許文献１】特開２００６−１９１９１６
【特許文献２】特開 ２００９―１７８１１５
【発明の概要】
【発明が解決しようとする課題】
【０００４】
解決しょうとする問題点は、魚がルアー本体の取り付け部にスプリットリング等を介して取り付けられた釣り針に魚が掛かったとき、魚は釣り針から逃れようと激しく頭を振るため、ルアー本体が激しく動揺し、魚体とぶつからあうことで、ルアー本体の重さとその振動により釣り針が魚の口から外れてしまうことがあることである。
【０００５】
本発明の目的は前記欠点に鑑み、ルアー本体に取り付けられた釣り針に魚が針掛かりしたとき、釣り針がルアー本体から離れ遊動自在になることでルアー本体と魚体とがぶつかりあうことを軽減し、魚の口からルアーが外れることを防ぐ仕組みをもつルア−を提供することである。
【課題を解決するための手段】
【０００６】
本発明は、ルアー本体に取り付けられた釣り針に魚が掛かったとき、釣り針がルアー本体から離れ遊動自在になるために必要な釣り針連結具をルアー本体と釣り針との間に設けたことを要旨とするものである
本発明はルアー本体に釣り針連結具の取り付け部を持ち、その取り付け部に釣り針連結具の一方を取り付け、釣り針連結具の他方に釣り針を取り付けたことを要旨とするものである。
【発明の効果】
【０００７】
ルアー本体に取り付けられた釣り針に魚が掛かったとき、釣り針が速やかにルアー本体より離れ、遊動自在になることでルアー本体と魚体とがぶつかりあうことを軽減し、魚の口から釣り針が外れることを防止することができる。
【図面の簡単な説明】
【０００８】
【図１】この発明のルアーの一実施形態であり、(a)は本体に釣り針を装着したときの側面図、(b)はその分解図である。
【図２】この発明のルアーの他の実施形態であり、(a)は本体に釣り針を装着したときの側面図、(b)はその分解図である。
【図３】この発明のルアーのさらに他の実施形態であり、(a)は本体に釣り針を装着したときの側面図、(b)はその分解図である。
【発明を実施するための形態】
【０００９】
図１(a)及び図１(b)に於いて,ルアー本体１は第二の取り付け部６を有し、第二の取り付け部６に釣り第二の針連結具７を装着している。
釣り人が魚を誘うためにルアー本体１を操作し、泳動または静止させても、釣り針５は第二の釣り針連結具７から外れないようになっている。
釣り人が魚を誘うためにルアー本体１を操作し、泳動または静止させても、第二の釣り針連結具７は第二の取り付け部６からも釣り針５からも外れないようになっている。
釣り糸取り付け部２はルアー本体１に固定されていて釣り糸８を連結できる。
釣り糸取り付け部２は釣り第一の釣り針連結具４を連結してもよい。
本願のルア−はルアー本体１に第二の取り付け部６を持ち、第二の取り付け部６に第二の釣り針連結具７を装着することで釣り針５を装着することができる。
本願のルア−は、釣り針５に魚が掛かったとき、釣り針５はルアー本体１より離れ遊動自在になるようになっている。
第一の取り付け部３はルアー本体１に固定されていて、第一の釣り針連結具４を介して釣り針５を取り付けている。
第一の取り付け部３は、ルアー頭部先端と尾部末尾の間に取り付け、釣り針５に魚が掛かったとき、釣り針５がルアー本体１から離れ遊動自在になったとき、ルアー本体１から魚体がなるべく離れるように取り付けている。
第一の釣り針連結具４は釣り針５と第一の取り付け部３を連結している。
第一の釣り針連結具４は対象とする魚を釣り上げることのできる強度を持つ釣り糸、ワイヤー、仕掛け糸、ゴム、ピアノ線等を使用していることが好ましい。
第一の釣り針連結具４は、第一の取り付け部３と釣り針５に直接取り付けてもよい。
釣り針５が釣り第二の針連結具７に装着されている状態で、釣り針５に魚がかかったとき、釣り針５は第二の釣り針連結具７から外れ、遊動自在になるようになっている。
釣り人が魚を誘うためルアー本体１を操作して泳動または静止させているとき、釣り針５は第二の釣り針連結具７から外れないようになっている。
第二の取り付け部６ルアー本体１に固定され、釣り針連結具７を装着することができる。
第二の取り付け部６はルアー本体１に凸型に形成してもよい。
第二の取り付け部６はステンレス、銅、アルミ、チタン、プラスチック、ゴム等を加工したものが好ましい。
第二の取り付け部６はルアー本体１の尾部に取り付けてもよい。
第二の釣り針連結具７は釣り人が魚を誘う為にルアー本体１を操作し、泳動もしくは停止させているとき、釣り針５からも、第二の取り付け部６からも外れないが、魚が掛かったときには釣り針５から外れるようになっている。
第二の釣り針連結具７はルアー本体１の第二の取り付け部６に装着されていて、釣り針５を装着しているとき、釣り針５に魚が掛かれば、釣り針５から外れるようになっている。
第二の釣り針連結具７は筒状に形成されているが、中に空洞を設けなくても良い。
第二の釣り針連結具７は塩化ビニル、ウレタンフォーム、ゴム、プラスチック等を加工した素材を使うのが好ましい。
第二の釣り針連結具７の素材に磁石を使用してもよい。
釣り針５はトレブルフックを用いてその一端を第二の釣り針連結具７に取り付けているが、シングルフックや、ダブルフックに取り付け部を設けて第二の釣り針連結具７に装着してもよい。
【００１０】
図2(a)及び図2(b)に於いて、図１に示す構成要素と同じものは説明を省略する。
釣り糸取り付け部２はルアー本体１がルアー本体１を潜行または、泳動させるためのリップ部９を持つ場合、そのリップ部分に取り付けてもよい。
第一の取り付け部３はルアー本体１がルアー本体１を潜行または、泳動させるためのリップ部９を持つ場合、そのリップ部分に取り付けてもよい。
第一の釣り針連結具４はスプリットリングa、bやスナップを介して取り付けてよもよい。
第二の取り付け部６はルアー本体１に凹型に形成してもよい。
【００１１】
図３(a)及び図３(b)に於いて、図１及び図２に示す構成要素と同じものは説明を省略する。
第二の釣り針連結具７に釣り針連結金具１０を装着してもよい。
釣り針５は、第二の釣り針連結具７に釣り針連結金具１０を取り付け、釣り針連結金具１０にスプリットリング等を介して取り付けてもよい。
第二の釣り針連結具７に釣り針連結金具１０を装着してもよい。
第二の釣り針連結具７に釣り針連結金具１０を装着してもよい。
釣り針連結具７はルアー本体１の第二の取り付け部６に装着され、釣り針連結金具１０を装着しているとき、釣り針５に魚が掛かれば、釣り針連結金具１０から外れるようになっている。
釣り針連結金具１０は、スプリットリングｂを挿通させる取付孔が貫設され、第二の釣り針連結具７に装着するための突起を有している。
釣り針連結金具１０は釣り針連結具７に取り付けて、スプリットリングbを介して釣り針５を装着している。
釣り針連結金具１０は、釣り針５に魚がかかったとき、第二の釣り針連結具７から外れるようになっている。
釣り針連結金具１０は釣り人が魚を誘うためルアー本体１を操作して泳動または静止させているときは第二の釣り針連結具７から外れないようになっている。
釣り針連結金具１０はスプリットリングｂに取り付けているが、第一の釣り針連結具４に取り付けてもよい。
釣り針連結金具１０はステンレス、銅、アルミ、チタン、プラスチック、ゴム等を加工したものが好ましい。
【００１２】
前記のようにルアーが構成されると、魚が釣り針５に針がかりしたとき、釣り針５はルアー本体１から離れ遊動自在になることで、ルアー本体１と魚体とがぶつかりあうことを軽減し、魚の口から釣り針５が外れることを防止することができる。
また、図１で示すように釣り針を一時固定させることで、ルアー本体１と釣り針５が接触することによる接触音の発生を防止することができ、消音性を向上させることができる。これにより、対象魚に警戒心を抱かせることなく、対象魚にルアーを捕食させることが可能となる。
そして、この釣り針の一時固定により、ルアーの泳動時にも針先を一定の方向を向かせることができる為、魚がルアーを捕食したときに理想的な針がかりを実現することが可能となる。
【産業上の利用可能性】
【００１３】
本発明はルア−の全般に利用できる。
【符号の説明】
【００１４】
１    ルア−本体
２    釣り糸取り付け部
３    第一の取り付け部
４    第一の釣り針連結具
５    釣り針
６    第二の取り付け部
７    第二の釣り針連結具
８    釣り糸
９    リップ
１０  釣り針連結金具
a  スプリットリング
b  スプリットリング
【図１】
2012125182.tif 000003
【図２】
2012125182.tif 000004
【図３】
2012125182.tif 000005